(57)【要約】【課題】台板の後面から突出することなく装着できて台板の後方空間を有効に活用することのできるパチンコ機の玉入賞装置を提供する。【解決手段】パチンコ機の台板に取付けられて玉を玉入賞口３から受入れる筐体１と、玉入賞口３の開閉用部材４と、開閉用部材４を作動させるソレノイド９とからなるパチンコ機の玉入賞装置において、筐体１の前面に上部開口を有する玉受け箱２を設けて玉入賞口３を上向きとして台板の前方に突出させるとともに、玉受け箱２の側面に開閉用部材４を回動自在に軸着したうえに、ソレノイド９を筐体１内に収納したことを特徴とする玉入賞装置。【選択図】    図４
2004215956.tif 000002
【特許請求の範囲】
【請求項１】
パチンコ機の台板に取付けられて玉を玉入賞口から受入れる筐体と、前記玉入賞口の開閉用部材と、該開閉用部材を作動させるソレノイドとからなるパチンコ機の玉入賞装置において、筐体の前面に上部開口を有する玉受け箱を設けて玉入賞口を上向きとして台板の前方に突出させるとともに、玉受け箱の側面に開閉用部材を回動自在に軸着したうえに、前記ソレノイドを筐体内に収納したことを特徴とするパチンコ機の玉入賞装置。
【請求項２】
開閉用部材を、玉入賞口を塞ぐ蓋板と蓋板の一端から下方に延設された回動用レバーとを備えたものとしたうえに、ソレノイドを筐体内に縦型に配置して、ソレノイドが通電された時にプランジャが降下して前記回動用レバーを押圧することにより、蓋板が上方に回動して玉入賞口が開放されるようにした請求項１に記載のパチンコ機の玉入賞装置。
【請求項３】
筐体の厚みを台板の厚み以下とした請求項１又は２に記載のパチンコ機の玉入賞装置。
【請求項４】
筐体の底面に入賞玉の通路を筐体の前後方向に形成して、この通路に玉計数装置を縦型に配置した請求項１〜３の何れかに記載のパチンコ機の玉入賞装置。
【請求項５】
蓋板の上面を筐体の左右に向けて低く傾斜させた請求項１〜４の何れかに記載のパチンコ機の玉入賞装置。
【請求項６】
玉受け箱の前壁面上端を筐体の左右に向けて低く傾斜させた請求項５に記載のパチンコ機の玉入賞装置。
【発明の詳細な説明】
【０００１】
【発明の属する技術分野】
本発明は、パチンコ機の遊技盤に取付けられて入賞玉を獲得するためのパチンコ機の玉入賞装置に関するものである。
【０００２】
【従来の技術】
パチンコ機の遊技盤には、遊技が特定状態になった時に玉を入賞させるための玉入賞装置が配設されている。この玉入賞装置として、例えば特開２００１−３７９８９号公報には、図８に示すような玉入賞装置が開示されている。この玉入賞装置は、前面に玉入賞口３が形成された筐体１と、玉入賞口３を開閉する前扉５１と、前扉５１を作動させるソレノイド９とからなる。前扉５１は、支軸５２により筐体１に回動可能に軸着され、前扉５１に対しておおよそ直角の方向にアーム５３が延設されている。ソレノイド９はバネ９１が装着されたプランジャ９２を有している。プランジャ９２と前扉５１のアーム５３との間にはレバー５４が軸５４３により枢着され介装されている。通常はプランジャ９２はバネ９１の反発力によりソレノイド９から突出しレバー５４の後端５４１を押し上げて、レバー５４の前端５４２がアーム５３を押し下げているので、前扉５１は上方に回動されて入賞口３を閉鎖されている。遊技が大当たりなどの特定状態となった時には、図９に示すように、鉄製のビスなどが埋め込まれたレバー５４の後端５４１を下方に引きつけその前端５４２を上方に回動するので、アーム５３の押圧が解除されて前扉５１は自重により前方に回動して、玉入賞口３が開放される。この状態で前扉５１は落下してきた玉を受け止めて玉入賞口３から筐体１内に賞玉として取り込むことができる。
【０００３】
【特許文献１】特開２００１‐３７９８９号公報（図１、図４、図５）
【０００４】
上記した玉入賞装置の側面図を図１０に示すが、筐体１には前側面に前扉５１が軸着され、後側面にレバー５４が軸着され、さらにその後方にソレノイド９が順に配設されている。そして、玉入賞装置は図示のように、筐体１が厚さ約１９ｍｍのベニヤ板製の台板６に設けられた取付け穴６１に挿入されて、筐体１の前面に一体に形成された取付枠１１が台板６に当接して固定されている。ここで、筐体１の厚みは台板６と同等の厚みに形成されているために、ソレノイド９は必然的に台板６の後ろ側に位置することになって、台板６から突出して設けられていた。近年は遊技盤中央の役物を遊興効果を高いものとするために台板６の後ろに配置する種々の装置や部品が大型化、複雑化したりして、台板６の後方空間を広くして設計の自由度を高めることが求められている。しかしながら、上記したような従来の玉入賞装置においては台板６の後側に突出したソレノイド９が邪魔になって、台板６の後方空間を有効に利用するに当って制限のあるものであった。
【０００５】
【発明が解決しようとする課題】
本発明は上記した従来の問題点を解決し、台板の後面から突出することなく取り付けることができて台板の後方空間を有効に活用することのできるパチンコ機の玉入賞装置を提供するためになされたものである。
【０００６】
【課題を解決するための手段】
上記の課題を解決するためになされた本発明のパチンコ機の玉入賞装置は、パチンコ機の台板に取付けられて玉を玉入賞口から受入れる筐体と、前記玉入賞口の開閉用部材と、該開閉用部材を作動させるソレノイドとからなるパチンコ機の玉入賞装置において、筐体の前面に上部開口を有する玉受け箱を設けて玉入賞口を上向きとして台板の前方に突出させるとともに、玉受け箱の側面に開閉用部材を回動自在に軸着したうえに、前記ソレノイドを筐体内に収納したことを特徴とするものである。
【０００７】
なお、開閉用部材を、玉入賞口を塞ぐ蓋板と蓋板の一端から下方に延設された回動用レバーとを備えたものとしたうえに、ソレノイドを筐体内に縦型に配置して、ソレノイドが通電された時にプランジャが降下して前記回動用レバーを押圧することにより、蓋板が上方に回動して玉入賞口が開放されるようにすることができる。また、筐体の厚みを台板の厚み以下とするのが望ましく、筐体の底面に入賞玉の通路を筐体の前後方向に形成して、この通路に玉計数装置を縦型に配置することができる。また、蓋板の上面を筐体の左右に向けて低く傾斜させたり、玉受け箱の前壁面上端を筐体の左右に向けて低く傾斜させたりすることができる。
【０００８】
【発明の実施の形態】
以下に図面を参照しつつ本発明の好ましい実施形態を説明する。
図１、２は、本発明に係るパチンコ機の玉入賞装置を示す図であって、玉入賞装置は、筐体１と、筐体１の前面から突出して形成された玉受け箱２と、玉受け箱２の上部開口即ち上向きの玉入賞口３を開閉する開閉用部材４と、後述する開閉用部材作動用のソレノイド９とにより構成されている。なお、図では開閉用部材４は玉入賞口３を開放した状態である。筐体１はその前面の周囲に取付け枠１１を有し、図２（ｂ）に示すように、筐体１を台板６の取付け穴６１に挿入した時に取付け枠１１が台板６に当接して筐体１が螺着される。したがって、玉入賞口３は台板より前方に突出して台板６（遊技盤）とガラス板との間に位置することになる。また、筐体１の厚み（取付け孔６１に挿入される筐体本体の厚み）は、台板６の裏面より突出しないように台板６の厚み以下とするのが望ましい。
【０００９】
開閉用部材４は、図３に示すように上部の蓋板４１と、その一端から下方に延設された蓋板回動用のレバー４２と、他端から下方に延設された支軸４３とからなり、レバー４２は支軸４４と先端の作用片４５とを備えている。左右の支軸４３、４４は玉受け箱２の両サイドの側面に回動自在に軸着されている。このように開閉用部材４の軸着位置を従来より前方にずらしてある。
筐体１の取付け枠１１には一対の半環状の嵌合凹部１２が設けられており、玉受け箱２の左右の側面にはこれに対応する嵌合凸部２１が設けられている。そして、開閉用部材４を玉受け箱２に軸着したうえに、嵌合凸部２１を嵌合凹部１２に嵌め込むことによって玉受け箱２を開閉用部材４とともに筐体１の前面に取付けることができる。
【００１０】
図３、４に示すように、筐体１の中にはバネ９１とプランジャ９２とが装着されたソレノイド９が縦型に内蔵され、プランジャ９２の頭部９２１には作動部材９３が嵌め込まれているが、この作動部材９３には作動片９４が一端から下方にＬ字形に延設されている。作動片９４は、プランジャ９２がソレノイド９に下方に吸引された時に開閉用部材４の作用片４５を押し下げて、蓋板５１を上方に回動させて玉入賞口３を開放状態とする。開閉用部材４を回転軸支持方式で回動させるので、機械的ロスが少なくエネルギーを効率的に使用することができる。したがって、小さいソレノイド９で開閉用部材４を作動させることができる。また、プランジャ９２を縦方向に配設したので、プランジャ９２の磨耗を低減することができる。
【００１１】
また、図５に示すように玉受け箱２の底面は玉が流れるように一側にかけて低く傾斜させて設けられている。また、図３、４に示すように玉受け箱の前記一側とつながる筐体１の底面には玉受け箱２からの玉が流れる玉通路１３がパチンコ機の前後方向に形成されており、この玉通路１３には、保持部材７に挿し込み式で装着された玉計数装置８が配置されている。玉計数装置８は、玉を計数するための玉通過孔８１を玉通路に位置させて厚みの薄い側の面をパチンコ機の前後方向にして縦型に配設されている。玉計数装置８の厚みの薄い側の面を前後にするのは、筐体１の厚みの増加を抑えるためである。
【００１２】
上記したように、図１〜５においてソレノイド９は通電されてプランジャ９２が下方に吸引されており、これによって開閉用部材４の作用片４５が押し下げられ蓋板４１は後方に回動されているので、玉入賞口３は開放されている。
一方、図６、７に示す玉入賞装置においては、ソレノイド９の通電が停止されてプランジャ９２がバネ９１の弾発力により上方に突出されており、これによって開閉用部材４の作用片４５の押し下げが解除されている。したがって、蓋板４１は弱いばね力により前方に回動されて、玉入賞口３を閉鎖している。蓋板４１の閉鎖方向への付勢力は弱いものであるので、閉鎖方向へ蓋板４１が回動中に玉受け箱２の前面内側と蓋板４１の前端との間に玉が噛み込まれることはない。さらに蓋板４１が閉鎖状態においては、作動部材９３は蓋板４１が上方に回動された時にその回動を制止するストッパーとしての役目を有する。したがって落下してくる玉の勢いなどで閉鎖状態にある蓋板４１が開放状態になることはない。また、玉入賞口３を開放するときのみソレノイド９に通電するので、電力の消費を少なく抑えることができる。
【００１３】
なお、玉入賞口３は完全に塞ぐ必要はなく、図７（ｂ）に示すように玉の通過不能に開閉用部材４を前傾させればよいので、玉入賞口３を開閉する時の開閉用部材４の回動ストロークを小さいものとすることができ、したがって、ソレノイド９を効率よく作動させることができる。また、図６に示すように、蓋板４１の上面をパチンコ機の左右に向けて低く傾斜させてあるので、蓋板４１の上から滑らかに玉を排出することができる。また、蓋板４１の上面は前後方向に膨らみをもって湾曲させてあるので、閉鎖状態にある蓋板４１に玉が落下した時の衝撃を和らげることができる。さらに、図１１に示すように、玉受け箱２の前壁面上端２２をも左右に低く傾斜させることによって玉をより円滑に両サイドに排出することができる。
【００１４】
【発明の効果】
以上に説明したように、本発明のパチンコ機の入賞装置は、筐体の前面に上部開口を有する玉受け箱を設けて玉入賞口を上向きとして台板の前方に突出させるとともに、玉受け箱の側面に開閉用部材を回動自在に軸着したので、開閉用部材を作動するソレノイドを筐体内に収納することができて、従来のように、ソレノイドが台板の裏面から突出することがない。
したがって、本発明は台板の後方空間を有効に活用することができるという大きな利点を有する。
【図面の簡単な説明】
【図１】玉入賞口が開放状態にある本発明の玉入賞装置の斜視図である。
【図２】本発明の玉入賞装置の正面図（ａ）、側面図（ｂ）、平面図（ｃ）である。
【図３】本発明の玉入賞装置の分解斜視図である。
【図４】図２（ａ）のＡ−Ａ部断面図（ａ）、Ｂ−Ｂ部断面図（ｂ）、Ｃ−Ｃ部（ｃ）である。
【図５】図２（ｃ）のＤ−Ｄ部断面図である。
【図６】閉鎖状態にある本発明の玉入賞装置の斜視図である。
【図７】玉入賞口が閉鎖状態にある玉入賞装置の前記したＡ−Ａ部、Ｂ−Ｂ部、Ｃ−Ｃ部における断面図（ａ）、（ｂ）、（ｃ）である。
【図８】玉入賞口が閉鎖状態にある従来の玉入賞装置の斜視図である。
【図９】玉入賞口が開放状態にある従来の玉入賞装置の斜視図である。
【図１０】台板に取付けられた従来の玉入賞装置の側面図である。
【図１１】玉受け箱の前面上端を左右に傾斜させた玉入賞装置の正面図である。
【符号の説明】
１  筐体
２  玉受け箱
３  玉入賞口
４  玉入賞口の開閉用部材
９  ソレノイド
【図１】
2004215956.tif 000003
【図２】
2004215956.tif 000004
【図３】
2004215956.tif 000005
【図４】
2004215956.tif 000006
【図５】
2004215956.tif 000007
【図６】
2004215956.tif 000008
【図７】
2004215956.tif 000009
【図８】
2004215956.tif 000010
【図９】
2004215956.tif 000011
【図１０】
2004215956.tif 000012
【図１１】
2004215956.tif 000013